(57)【特許請求の範囲】
【請求項１】
人毛もしくは人工毛からなる毛髪を植設した吸水性のネットと、
前記ネットの下部に位置して頭部に分泌した汗を吸収する吸水性繊維と、
前記ネットの上部に位置して前記汗を蒸散する微細孔を有するメッシュスキンと
を備え、
前記毛髪は、前記メッシュスキンを貫通して前記吸水性のネットに植設され、
前記吸水性繊維及び前記メッシュスキンは、前記毛髪の分け目部に対応する位置にのみ配置されている、
ことを特徴とするかつら。
【請求項２】
前記ネットが、その網目に沿って前記汗を拡散することを特徴とする請求項１記載のかつら。
【請求項３】
前記吸水性繊維が、モノフィラメントからなることを特徴とする請求項１又は請求項２記載のかつら。
【請求項４】
前記メッシュスキンが、モノフィラメントからなることを特徴とする請求項１から請求項３のいずれか１項記載のかつら。
【請求項５】
前記吸水性繊維、前記ネット及び前記メッシュスキンを重ね合わせた状態で、前記メッシュスキン側から見た場合、これらが肌色を呈することを特徴とする請求項１から請求項４のいずれか１項記載のかつら。
【発明の詳細な説明】
【技術分野】
【０００１】
本発明は、頭部から発汗する汗を外部に蒸散させるかつらに関するものである。
【背景技術】
【０００２】
従来、頭部から分泌した汗を吸収するかつらとして次のものが知られている。
人工毛髪とこれを植設するベースのいずれか一方又は両方に、親水性物質を含有させた合成繊維を使用して、汗を吸収して外へ発散させるかつらが提案されている。（例えば、特許文献１参照。）
また、擬似毛を植設して頭部に装着されるかつらベースの頭皮に接触する側に、吸水性を有する材質からなる汗・皮脂吸引保持部材を設け、汗・皮脂吸引保持部材の周囲を折り返して、肉厚を有する段差部を設けたかつらが提案されている。このかつらは、その段差部が、かつらの自重で頭皮に密着することから、段差部が頭頂付近より流れ落ちる汗を漏れなく吸収するかつらである。（例えば、特許文献２参照。）
【特許文献１】特開２００２−８８５５１号公報（段落［０００４］）
【特許文献２】特開２００２−１２９４２０号公報（段落［０００５］、図１）
【発明の開示】
【発明が解決しようとする課題】
【０００３】
ところで、特許文献１のごとく親水性物質を含有させた合成繊維では、頭部の汗の吸水性及び発散性に優れておらず、かつら内部でムレが生じてしまっていた。
また、特許文献２においては、汗・皮脂吸引保持部材の段差部を汗・皮脂吸引保持部材の周囲に設け、その段差部が頭頂付近より流れ落ちる汗を吸収するように形成されているが、吸収した汗を外部に発散する構成がなされておらず、やはり、かつら内部でムレが生じてしまっていた。
【０００４】
本発明の課題は、上記従来の実情に鑑み、かつら内部の汗を吸収して発散し、かつら内部を爽快な状態に保つかつらを提供することである。
【課題を解決するための手段】
【０００５】
上記課題を解決するために、本発明のかつらは、人毛もしくは人工毛からなる毛髪を植設した吸水性のネットと、上記ネットの下部に位置して頭部に分泌した汗を吸収する吸水性繊維と、上記ネットの上部に位置して上記汗を蒸散する微細孔を有するメッシュスキンとを備え、上記毛髪は、上記メッシュスキンを貫通して上記吸水性のネットに植設され、上記吸水性繊維及び上記メッシュスキンは、上記毛髪の分け目部に対応する位置にのみ配置されている構成とする。
【０００６】
この際、上記ネットが、その網目に沿って上記汗を拡散する構成とするとよい。
【０００７】
好ましくは、上記吸水性繊維が、モノフィラメントからなる構成とする。
【０００８】
また、上記メッシュスキンが、モノフィラメントからなる構成とするとよい。
より好ましくは、上記吸水性繊維、上記ネット及び上記メッシュスキンを重ね合わせた状態で、上記メッシュスキン側から見た場合、これらが肌色を呈する構成とする。
【発明の効果】
【０００９】
本発明によれば、頭部に分泌した汗が、吸水性繊維により吸収され、吸水性のネットの網目に沿って拡散され、微細孔を有するメッシュスキンを通って蒸散されるため、かつら内部を爽快な状態に保つことができる。
【発明を実施するための最良の形態】
【００１０】
以下、本発明の実施形態に係るかつらについて図面を参照しながら説明する。
図１は、本発明の一実施形態に係るかつらを示す底面図である。
同図において、かつら１は、かつらベース２の内側球面に吸水性繊維４を有する構成状態を示している。この吸水性繊維４の色は肌色であり、その繊維は、モノフィラメントで編み込まれている。また、かつらベース２のネット（ここでは不図示）には、人毛又は人工毛からなる毛髪３が植設されている。なお、後述するが、かつらベース２は、吸水性繊維４、ネット及びメッシュスキンから構成されている。
【００１１】
図２は、上記かつらのかつらベースを示す断面図である。
同図において、人毛又は人工毛からなる毛髪３が植設された吸水性を有するネット６の上部位置には、微細孔を有するメッシュスキン５が密接して位置し、ネット６の下部位置には、吸水性繊維４が密接して位置している。従って、かつらベース２は、上部より微細孔を有するメッシュスキン５、吸水性を有するネット６、吸水性繊維４が設けられており、ここでは３層構造をなすかつらベース２となっている。
【００１２】
なお、ネット６に毛髪３を植設する際には、ネット６の上部にメッシュスキン５を例えば外周部で縫着した状態で、毛髪３をメッシュスキン５に針等で貫通させてネット６に植設し、更に吸水性繊維４をネット６の下部に例えば外周部で縫着するとよい。
【００１３】
また、メッシュスキン５の微細孔の径や分布密度は、汗の蒸散作用が得られる範囲内で適宜設定されればよい。
以上のように構成されるかつら１を装着者が頭部に装着すると、かつら１内の頭部に分泌した汗が吸水性繊維４の毛管現象作用により吸い上げられる。次に、吸水性繊維４により吸い上げられた汗が吸水性を有するネット６で拡散される。つまり、汗がネット６の網目に沿って広がり蒸散しやすくなる。そして、ネット６に拡散された汗が、ネット６の上部に位置するメッシュスキン５の微細孔を通して蒸散される。
【００１４】
なお、吸水性繊維４やメッシュスキン５には、好ましくはナイロン等のモノフィラメントを用いるとよい。そして、ネット６には、ポリエステル等のモノフィラメントを用いるとよい。また、ネット６には、ポリエステル等のマルチネットを用いてもよい。
【００１５】
更に、吸水性繊維４、メッシュスキン５及びネット６を肌色とすることで、かつらベース２を外側から直視しても実際の頭皮のように視認させることができる。
本発明の一実施形態に係るかつらによれば、頭部に分泌した汗が、吸水性繊維４により吸収され、吸水性のネット６の網目に沿って拡散され、微細孔を有するメッシュスキン５を通って蒸散されるため、かつら１内部を爽快な状態に保つことができる。
【００１６】
また、これにより、頭皮のムレ、痒み、むくみを防ぐことができる。
図３は、本発明の他の実施形態に係るかつらを示す底面図である。
同図において、かつら１のかつらベース２は、毛髪３の分け目部７に対応する位置にのみ吸水性繊維４を有し、その裏側、すなわちかつら１装着時の上部には、吸水性を有するネット６が設けられている。更に、ネット６の裏側には、微細孔を有するメッシュスキン（ここでは図示せず）が例えば分け目部７に対応する位置に密接して設けられている。このように、かつらベース２は、ここでは、分け目部７でのみ３層構造を呈している。
【００１７】
なお、ネット６に毛髪３を植設する際には、ネット６の上部にメッシュスキン５を例えば外周部で縫着した状態で、毛髪３をメッシュスキン５に貫通させてネット６に植設し、更に吸水性繊維４をネット６の下部に例えば外周部で縫着するとよい。
【００１８】
また、メッシュスキン５の微細孔の径や分布密度は、汗の蒸散作用が得られる範囲内で適宜設定されればよい。
以上のように構成されるかつら１を装着者が頭部に装着すると、分け目部７においてかつら１内の頭部に分泌された汗は、吸水性繊維４の毛管現象作用により吸い上げられる。次に、吸水性繊維４により吸い上げられた汗が吸水性を有するネット６により拡散される。つまり、ネット６の網目に沿って汗が発散しやすいように広がる。そして、ネット６の上部に位置するメッシュスキン５の微細孔を通してネット６により拡散された汗が蒸散される。
【００１９】
なお、吸水性繊維４やメッシュスキン５には、好ましくはナイロン等のモノフィラメントを用いるとよい。そして、ネット６には、ポリエステル等のモノフィラメントを用いるとよい。また、ネット６には、ポリエステル等のマルチネットを用いてもよい。
【００２０】
更に、吸水性繊維４、メッシュスキン５及びネット６を肌色とすることで、かつらベース２を外側から直視しても実際の頭皮のように視認させることができる。
本発明の他の実施形態に係るかつらによれば、毛髪３の分け目部７に分泌した汗が、吸水性繊維４により吸収され、吸水性のネット６の網目に沿って拡散され、微細孔を有するメッシュスキン５を通って蒸散されるため、分け目部７の内部を爽快な状態に保つことができる。
【００２１】
また、これにより、露出の多い分け目部７がムレて変色せず、かつら１の外観を自然なものにすることができる。
更に、吸水性繊維４やメッシュスキン５を頭部の一部のみの構成とすることで、かつらベース２のうち必要な箇所のみでの汗の吸水や蒸散を行うことができると共にそれらの材料費を削減することができる。
【００２２】
なお、上記一実施形態及び他の実施形態では、吸水性繊維４、ネット６及びメッシュスキン５からなる３層構造のかつらベース２を説明したが、吸水性や蒸散性を促進する層を更に重ね、４層以上のかつらベース２としてもよい。
【図面の簡単な説明】
【００２３】
【図１】本発明の一実施形態に係るかつらを示す底面図である。
【図２】上記かつらのかつらベースを示す断面図である。
【図３】本発明の他の実施形態に係るかつらを示す底面図である。
【符号の説明】
【００２４】
１      かつら
２      かつらベース
３      毛髪
４      吸水性繊維
５      メッシュスキン
６      ネット
７      分け目部
【図１】
0004646749.tif 000002
【図２】
0004646749.tif 000003
【図３】
0004646749.tif 000004